(57)【要約】      （修正有）【課題】安全性の高いロック芯構造の提供。【解決手段】軸受筒１１、ロック芯１４、複数の側ロックユニット１２、複数のロックピンユニット１６を備え、軸受筒には側ロックピン槽１１３を成型し、これに各側ロックユニットを嵌めて設置し、各下ロックピン槽１４３のロック芯頂点に近い内壁面には位置限定ステップ面を成型し、任意のロックピンユニットの上ロックピン１６４は、錐上ロックピン１５３’に置換でき、錐上ロックピン底面は、下ロックピン槽の位置限定ステップ面上に接触し、錐上ロックピンの錐形接続部１５３２’は回されずれて、歪み、上、下ロックピン槽の境目位置に係合して固定されて施錠状態を呈し、ロックピンが打撃により跳ね上がり開錠状態となってしまった時には、ロック芯の下ロックピン槽は側ロックピン槽へと移動し、側ロックユニットにより係合して固定され、もう一つの施錠状態を形成し、ロック芯構造の打撃による開錠を防止する。【選択図】図１０
2012154116.tif 000002
【特許請求の範囲】
【請求項１】
ピッキングと打撃による開錠を防止可能な安全性の高いロック芯構造において、軸受筒、ロック芯、複数の側ロックユニット、複数のロックピンユニットを備え、
前記軸受筒は、中空筒体とロックピン台体を一体成型し、
前記ロック芯は、前記中空筒体に収容設置し、
前記中空筒体は、それぞれ前記ロックピン台体両側の中空筒体壁面に、対を成す複数の側ロックピン槽を貫通状に設置し、
これにより前記各側ロックユニットを嵌めて設置し、
前記中空筒体には、前記ロックピン台体径方向に向かい、複数の上ロックピン槽を設置し、
前記対のロック芯には、前記各上ロックピン槽と相対し、しかも相互に通じる下ロックピン槽を成型し、
前記各下ロックピン槽の前記ロック芯頂点に近い内側壁面は、径方向に広がり、位置限定ステップ面を備え、
上下に通じる前記上、下ロックピン槽は、前記各ロックピンユニットを嵌めて設置し、
前記各側ロックユニットはすべて、側ロックピンと第一弾性部品を備え、
前記各ロックピンユニットはすべて、下ロックピン、上ロックピン、第二弾性ユニット、封鎖蓋を備え、
内１個のロックピンユニットの上ロックピンは、錐ロックピンにより置換され、しかも前記錐ロックピン底面は、前記下ロックピン槽の位置限定ステップ面上に接触し、
これにより、前記錐ロックピンと前記下ロックピンとの間には、間隙が保持されることを特徴とするピッキングと打撃による開錠を防止可能な安全性の高いロック芯構造。
【請求項２】
前記下ロックピンは、中空円柱状のメイン下ロックピン、及び前記メイン下ロックピンの中に挿入して設置し、一方向に係合して固定するサブ下ロックピンを備え、
前記上ロックピンは、中空円柱状の外上ロックピン、及び前記外上ロックピンの中に挿入して設置し、一方向に係合して固定する内上ロックピンを備え、
前記第二弾性部品はさらに、前記内上ロックピンを押す内弾性部品、及び前記外上ロックピンを押す外弾性部品を備え、
前記上ロックピンに置換する錐ロックピンはさらに、中空円柱状の錐上ロックピン、及び前記錐上ロックピンの中に挿入して設置し、一方向に係合して固定する内上ロックピンを備え、
前記錐上ロックピンは、腰部において、前記下ロックピン槽方向へと底まで広がり、錐形接続部を成型することを特徴とする請求項１に記載の燃料電池に用いるピッキングと打撃による開錠を防止可能な安全性の高いロック芯構造。
【請求項３】
前記錐ロックピンを備えない任意のロックピンユニットの、その各部品は、下磁力ピン、メイン上ロックピン、第三弾性部品、封鎖蓋により置換でき、
前記下磁力ピンは、中空円柱状のメイン下ロックピン、前記メイン下ロックピンの中に挿入して設置し、一方向に係合して固定するサブ下ロックピン、及び前記サブ下ロックピンを押す内弾性部品を備えることを特徴とする請求項１に記載のピッキングと打撃による開錠を防止可能な安全性の高いロック芯構造。
【請求項４】
前記ロック芯構造はさらに、筒体封鎖蓋を備え、
前記中空筒体は、前記側ロックピン槽対角位置において、充填孔を成型し、
これにより、前記側ロックユニットは、前記充填孔に嵌り、前記筒体封鎖蓋により、前記充填孔を封鎖することを特徴とする請求項１に記載のピッキングと打撃による開錠を防止可能な安全性の高いロック芯構造。
【発明の詳細な説明】
【技術分野】
【０００１】
本発明はピッキングと打撃による開錠を防止可能な安全性の高いロック芯構造に関し、特に外力による悪意のピッキング、或いは打撃により、ロック芯が開錠状態とさせられてしまうことを回避でき、側ロックユニットを増設することで、悪意の開錠を防止できるピッキングと打撃による開錠を防止可能な安全性の高いロック芯構造に関する。
【背景技術】
【０００２】
図１に示すように、一般的なロック芯構造は、ロック芯軸受筒１０、ロック芯２０を備える。ロック芯軸受筒１０とロック芯２０とは、数本の上下に通じる上ロックピン槽１０１と下ロックピン槽２０１をそれぞれ成型する。各上ロックピン槽１０１、下ロックピン槽２０１中には、下から上へと順番に、下ロックピン３０、上ロックピン４０、弾性部品５０、封鎖蓋６０を装置する。弾性部品５０を利用して、上ロックピン４０を押し、下に向かわせ、下ロックピン槽２０１中に挿入して設置する。これにより、ロック芯２０は、回転できなくなり、施錠状態を形成する。図２は、従来のロック芯構造の開錠状態を示す。図に示すように、正しいカギ７０をロック芯２０に挿入すると、カギ７０のミゾは、下ロックピン３０と上ロックピン４０を押し、同時に上へと移動させる。この時、弾性部品５０は、圧縮状を呈し、しかもカギ７０のミゾは、下ロックピン３０の頂点面を押し、ロック芯２０の外環状面に揃えさせる。こうして、カギ７０は、ロック芯２０をターンさせ、開錠の目的を達成することができる。
【０００３】
上記したロック芯構造に、正しく配置されたカギを用いて行う開錠動作は、疑いも無く正しい操作方式である。しかし、正しいカギを持たない悪意ある人物は、他方式の開錠手段を持っている。本発明者の研究により、以下のことが明らかになった。悪意で開錠しようとする場合の一般的な方式は、通常、先ず共用カギ７０’(いわゆる万能カギ)、或いはＬ型スパナ(図示なし)を、ロック芯２０のカギ孔中に挿入する。共用カギ７０’上には、複数のミゾがあるため、共用カギ７０’を挿入すると、図３に示すように、ロック芯２０内の下ロックピン３０は、それぞれ各ミゾ中に嵌る。次に、ロック芯２０を回すと、ロック芯２０の下ロックピン槽２０１とロック芯軸受筒１０の上ロックピン槽１０１は、互い違いの状態を呈する(図４参照)。この時、上ロックピン４０は、互い違いになった下ロックピン槽２０１と上ロックピン槽１０１との間に挟まれて固定され、強制的に定位状態となる。ここで、さらに共用カギ７０’に外力を加えると、図５に示すように、共用カギ７０’は、ミゾの斜面で下ロックピン３０を押し、上方へと跳ね上げる。こうして、下ロックピン３０は、瞬間的爆発的な運動エネルギーを生じ、衝突理論に基づき、瞬間的に上ロックピン４０を押し上げ、同時に上方へと跳ね上がる。さらに、弾性部品５０を圧迫して圧縮状とする。弾性部品５０がもとに戻ると、上ロックピン槽１０１、下ロックピン槽２０１は、やや互い違いの状態を呈する。そのため、上ロックピン４０、下ロックピン３０が落ちると、図６、７に示すように、下ロックピン３０は、下ロックピン槽２０１中に戻るが、上ロックピン４０は、下ロックピン槽２０１に入れず、上ロックピン槽１０１中に留まる。上記した動作を数回繰り返すだけで、開錠状態を形成することができ、しかもスムーズにロック芯２０を回転させ、錠を開けることができる。すなわち、従来のロック芯構造は、外力による破壊への抵抗と、盗難防止効果に対して、深刻なまでに不足している。本発明は、Ｌ型スパナにより順序に従い弾き動かすことができ、或いは共用のカギに外力による打撃を対応させれば開錠できるという従来のロック芯構造の問題に鑑みてなされたものである。    
【発明の概要】
【発明が解決しようとする課題】
【０００４】
本発明が解決しようとする課題は、悪意によるピッキング、打撃による開錠を防止でき、悪意によって開錠された後、もう一つの施錠状態を形成するため、高い安全性を実現でき、錠の盗難防止効果を向上させられるピッキングと打撃による開錠を防止可能な安全性の高いロック芯構造を提供することである。      
【課題を解決するための手段】
【０００５】
上記課題を解決するため、本発明は下記のピッキングと打撃による開錠を防止可能な安全性の高いロック芯構造を提供する。
ピッキングと打撃による開錠を防止可能な安全性の高いロック芯構造は、軸受筒、ロック芯、複数の側ロックユニット、複数のロックピンユニットを備え、
該軸受筒は、中空筒体とロックピン台体を一体成型し、
該ロック芯は、該中空筒体に収容設置し、
該中空筒体は、それぞれ該ロックピン台体両側の中空筒体壁面に、対を成す複数の側ロックピン槽を貫通状に設置し、
これにより該各側ロックユニットを嵌めて設置し、
該中空筒体には、該ロックピン台体径方向に向かい、複数の上ロックピン槽を設置し、
該対のロック芯には、該各上ロックピン槽と相対し、しかも相互に通じる下ロックピン槽を成型し、
該各下ロックピン槽の該ロック芯頂点に近い内側壁面は、径方向に広がり、位置限定ステップ面を備え、
上下に通じる該上、下ロックピン槽は、該各ロックピンユニットを嵌めて設置し、
該各側ロックユニットはすべて、側ロックピンと第一弾性部品を備え、
該各ロックピンユニットはすべて、下ロックピン、上ロックピン、第二弾性ユニット、封鎖蓋を備え、
内１個のロックピンユニットの上ロックピンは、錐ロックピンにより置換され、しかも該錐ロックピン底面は、該下ロックピン槽の位置限定ステップ面上に接触し、
これにより、該錐ロックピンと該下ロックピンとの間には、間隙が保持され、
該下ロックピンは、中空円柱状のメイン下ロックピン、及び該メイン下ロックピンの中に挿入して設置し、一方向に係合して固定するサブ下ロックピンを備え、
該上ロックピンは、中空円柱状の外上ロックピン、及び該外上ロックピンの中に挿入して設置し、一方向に係合して固定する内上ロックピンを備え、
該第二弾性部品はさらに、該内上ロックピンを押す内弾性部品、及び該外上ロックピンを押す外弾性部品を備え、
該上ロックピンに置換する錐ロックピンはさらに、中空円柱状の錐上ロックピン、及び該錐上ロックピンの中に挿入して設置し、一方向に係合して固定する内上ロックピンを備え、
該錐上ロックピンは、腰部において、該下ロックピン槽方向へと底まで広がり、錐形接続部を成型し、
該錐ロックピンを備えない任意のロックピンユニットの、その各部品は、下磁力ピン、メイン上ロックピン、第三弾性部品、封鎖蓋により置換でき、
該下磁力ピンは、中空円柱状のメイン下ロックピン、該メイン下ロックピンの中に挿入して設置し、一方向に係合して固定するサブ下ロックピン、及び該サブ下ロックピンを押す内弾性部品を備え、
該ロック芯構造はさらに、筒体封鎖蓋を備え、
該中空筒体は、該側ロックピン槽対角位置において、充填孔を成型し、
これにより、該側ロックユニットは、該充填孔に嵌り、該筒体封鎖蓋により、該充填孔を封鎖する。
【発明の効果】
【０００６】
本発明のピッキングと打撃による開錠を防止可能な安全性の高いロック芯構造において、ロック芯構造が、悪意によるピッキング、打撃を受けると、ロック芯構造のロック芯は位置がずれ、その錐ロックピン底面の外径は、上、下ロックピン槽の位置がずれた槽口より小さく、係合を形成し、さらにピッキングによる開錠を防止する効果を備え、ロック芯構造が極めて低い確率ながらも、打撃により跳ね上がり開錠状態となってしまった後、側ロックユニットは、さらにもう一つの施錠状態を形成し、こうして打撃による開錠を防止する効果を備え、こうして錠の盗難防止効果を高めることができる。
【図面の簡単な説明】
【０００７】
【図１】従来のロック芯構造の模式図である。
【図２】従来のロック芯構造に正しいカギを対応させて開錠状態とした様子を示す模式図である。
【図３】共用カギを従来のロック芯に挿入する様子を示す模式図である。
【図４】図３のA-A位置における断面模式図である。
【図５】共用カギに外力を対応させて、上ロックピン、下ロックピンを跳ね上がらせる様子を示す模式図である。
【図６】共用カギに外力を対応させて、従来のロック芯を開ける様子を示す模式図である。
【図７】図６のB-B位置における断面模式図である。
【図８】本発明の立体分解模式図である。
【図９】本発明の側ロックユニットの組合せ断面模式図である。
【図１０】本発明ロック芯構造の立体分解模式図である。
【図１１】本発明の立体外観模式図である。
【図１２】本発明施錠状態の模式図である。
【図１３】正しいカギを対応させて開錠する様子を示す模式図である。
【図１４】共用カギを対応させた上に外力を加える様子を示す模式図(施錠状態)である。
【図１５】図１４のC-C位置における断面模式図である。
【図１６】図１４のD-D位置における断面模式図である。
【図１７】本発明の上ロックピン、下ロックピンが自動的に落下する様子を示す模式図である。
【図１８】共用カギを対応させた上に外力を加える様子を示す模式図(開錠状態)である。
【図１９】本発明が共用カギにより開錠された状態を示す模式図である。
【図２０】図１９のE-E位置における断面模式図である。
【図２１】本発明側ロックユニットの施錠状態を示す断面模式図である。
【図２２】本発明錐ロックピンを、他の上ロックピン槽に設置する様子を示す模式図である。
【発明を実施するための形態】
【０００８】
以下に図面を参照しながら本発明を実施するための最良の形態について詳細に説明する。
【実施例】
【０００９】
本発明ピッキングと打撃による開錠を防止可能な安全性の高いロック芯構造を使用する錠は、図８〜１１に示すように、一対のロック芯構造１、連接棒２、複数の挿入ピン３、一対の伝動器４、４’、カム５、これらに対応するカギ６を備える。
【００１０】
ロック芯構造１は、対称的に設置され、各ロック芯構造１は、軸受筒１１、複数の側ピンユニット１２、複数の筒体封鎖蓋１３、ロック芯１４、複数のロック芯ピンユニットを備える。
【００１１】
軸受筒１１本体は、貫通通路状の中空筒体１１１を軸方向に成型し、これにロック芯１４を収容設置する。さらに、中空筒体１１１は、径方向に、ロックピン台体１１２を突出状に一体成型する。中空筒体１１１は、ロックピン台体１１２両側の中空筒体１１１壁面のそれぞれ適当な位置に、中空筒体１１１の軸方向に沿って、対になった複数の側ロックピン槽１１３を等間隔に貫通させて形成する(本実施例は、軸受筒１１に３対の側ロックピン槽１１３を成型する)。各側ロックピン槽１１３の通路に向かう内側壁面には、径方向に、位置限定ステップ面１１３１を設置する。中空筒体１１１の、各側ロックピン槽１１３の対角位置には、複数の充填孔１１４を貫通状に設置する。中空筒体１１１内壁は、ロックピン台体１１２に向かい、径方向に固定した間隔で、ロックピン台体１１２を貫通し、複数の上ロックピン槽１１５を設置する(本実施例では、軸受筒１１に５個の上ロックピン槽１１５を成型し、しかも各側ロックピン槽１１３は、上ロックピン槽１１５の一部とそれぞれ相対して設置する)。さらに、一対のロック芯構造１に相対して設置する端面は、その軸方向に、各上ロックピン槽１１５を貫通し、槽孔１１６を形成する。ロックピン台体１１２は、槽孔１１６に沿って、複数の固定ピン孔１１７を軸方向に貫通状に設置する。
【００１２】
各側ピンユニット１２は、第一弾性部品１２１、側ロックピン１２２を備える。各側ロックピン１２２は、円柱状で、ロック芯１４と接触する端面には、径方向に、環状部１２２１を成型する。これにより、環状部１２２１の外径は、側ロックピン槽１１３の内径より小さくなり、その位置限定ステップ面１１３１の外径より大きくなる。各筒体封鎖蓋１３は、中空筒体１１１の充填孔１１４と、緊密対応を呈する。
【００１３】
ロック芯１４の外径は、中空筒体１１１の貫通通路に対応し、これによりロック芯１４はその中に収容設置される。一対のロック芯１４は、一端面において、軸方向に貫通し、カギ孔１４１を備える。一対のロック芯１４は、他方の端面において、係合固定部４２を成型し、しかもロック芯１４は、軸受筒１１ロックピン台体１１２の各上ロックピン槽１１５に相対して、それぞれ下ロックピン槽１４３を貫通状に設置する。これにより、ロック芯１４カギ孔１４１、下ロックピン槽１４３とロックピン台体１１２の上ロックピン槽１１５は、上下に相互に通じる状態を呈する。しかも、下ロックピン槽１４３内径は、上ロックピン槽１１５の内径よりやや小さい。この他、各下ロックピン槽１４３のロック芯１４頂点に近い内側壁面は、径方向に拡大し、位置限定ステップ面１４４を備える。これにより、各下ロックピン槽１４３位置限定ステップ面１４４以上の内径は、上ロックピン槽１１５の内径と等しくなる。
【００１４】
各ロックピンユニットは、それぞれ第一ロックピンユニット１５、第二ロックピンユニット１５’、第三ロックピンユニット１６の３種の形態により組成する。第一ロックピンユニット１５は、メイン下ロックピン１５１、サブ下ロックピン１５２、外上ロックピン１５３、内上ロックピン１５４、内弾性部品１５５、外弾性部品１５６、封鎖蓋１５７を備える。メイン下ロックピン１５１は、中空円柱状を呈し、サブ下ロックピン１５２は、メイン下ロックピン１５１の中空位置に、挿入して設置し、しかも一方向に係合固定する。メイン下ロックピン１５１とサブ下ロックピン１５２は、下ロックピンを形成する。外上ロックピン１５３は、中空円柱状を呈し、内上ロックピン１５４は、外上ロックピン１５３の中空位置に、挿入して設置し、しかも一方向に係合固定する。外上ロックピン１５３と内上ロックピン１５４は、上ロックピンを形成する。内上ロックピン１５４を押す内弾性部品１５５と、外上ロックピン１５３を押す外弾性部品１５６は、第二弾性部品を形成する。各ロックピンユニットのすべての部品の外径は、上ロックピン槽１１５、下ロックピン槽１４３の内径より小さく、これにより上ロックピン槽１１５、下ロックピン槽１４３中において移動することができる。第二ロックピンユニット１５’は、メイン下ロックピン１５１’、サブ下ロックピン１５２’、錐上ロックピン１５３’、内上ロックピン１５４’、内弾性部品１５５’、外弾性部品１５６’、封鎖蓋１５７’を備える。錐上ロックピン１５３’は、中空円柱状を呈し、内上ロックピン１５４’は、錐上ロックピン１５３’の中空位置に、挿入して設置し、しかも一方向に係合固定する。錐上ロックピン１５３’と内上ロックピン１５４’は、錐ロックピンを形成する。第一ロックピンユニット１５との差異は、第一ロックピンユニット１５の上ロックピンは、設計の必要に応じて、錐ロックピンに置換することができるだけで、こうして第二ロックピンユニット１５’を形成する。
【００１５】
錐上ロックピン１５３’の腰部に近い適当な位置には、径方向に、外側へと突出した環状部１５３１’を形成し、錐上ロックピン１５３’腰部より、下ロックピン槽１４３方向に向かい、円柱底面へと拡張し、錐形接続部１５３２’を成型する。しかも、錐形接続部１５３２’外縁の外径は、下ロックピン槽１４３内径より大きく、下ロックピン槽１４３位置限定ステップ面１４４の内径及び上ロックピン槽１１５内径より小さい。これにより、錐形接続部１５３２’は、下ロックピン槽１４３位置限定ステップ面１４４以上においてのみ移動することができる。第三ロックピンユニット１６(錐ロックピンを設置しないロックピンユニット)の各部品は、設計の必要に応じて、メイン下ロックピン１６１、内弾性部品１６２、サブ下ロックピン１６３、メイン上ロックピン１６４、第三弾性部品１６５、封鎖蓋１６６に置換する。内、メイン下ロックピン１６１は、中空円柱状を呈し、内弾性部品１６２、サブ下ロックピン１６３は、メイン下ロックピン１６１の中空位置に、設置され、しかもサブ下ロックピン１６３とメイン下ロックピン１６１とは、一方向に係合固定する。内弾性部品１６２により、メイン下ロックピン１６１の中のサブ下ロックピン１６３を挟んで固定し、下磁力ピンを形成する。メイン上ロックピン１６４には、サブ下ロックピン１６３頂点部を収容設置する収容室を成型する。これにより、内弾性部品１６２は、サブ下ロックピン１６３を上方へと押し、メイン上ロックピン１６４の収容室へと完全に入れる。この他、各メイン下ロックピン１５１、サブ下ロックピン１５２、外上ロックピン１５３、錐上ロックピン１５３’、内上ロックピン１５４、１５４’、メイン下ロックピン１６１、サブ下ロックピン１６３、メイン上ロックピン１６４は、設計の必要に応じて、その軸の長さを決定することができる。しかも第一ロックピンユニット１５、第二ロックピンユニット１５’、第三ロックピンユニット１６も、設計の必要に応じて、各上ロックピン槽１１５、下ロックピン槽１４３に配置する。
【００１６】
連接棒２の中央には、ネジ孔２１を設置し、これによりドア板上に定位することができ、軸受筒１１槽孔１１６と緊密に対応する両端部２２を両側へとそれぞれ延伸する。また連接棒２は、第一ロックピンユニット１５とロックピン台体１１２に貫通状に設置する固定ピン孔１１７に相対する位置に、固定ピン孔２３を貫通状に設置する。
【００１７】
一対の挿入ピン３は、ロックピン台体１１２、連接棒２の固定ピン孔１１７、２３と緊密対応を形成する。
【００１８】
一対の伝動器４、４’は、ロック芯１４の係合固定部１４２に相対して係合固定槽４１、４１’を設置する。
【００１９】
カム５は、その両側内に、一対の伝動器４、４’と相互に対応する収容設置空間を設置し、これにより双方向開錠の選択を制御する。
【００２０】
カギ６は、各ロックピンユニットに正確な移動を生じさせる複数の凹槽６１、及びサブ下ロックピン１６３を吸着して嵌める磁性部品６２を設置する。
【００２１】
本発明の組合せ状態に関しては、図８〜１２を参照されたい。先ず、ロック芯構造１パーツの組み付けを完成する。ロック芯構造１の組み付けステップは、以下の通りである。軸受筒１１側ロックピン槽１１３に、中空筒体１１１内壁より外側へと、側ピンユニット１２の第一弾性部品１２１及び側ロックピン１２２を嵌めて設置する。第一弾性部品１２１及び側ロックピン１２２は、中空筒体１１１の充填孔１１４より、角度を合わせて中空筒体１１１に進入し、側ロックピン槽１１３に嵌って固定される。側ロックピン１１３の位置限定ステップ面１１３１に接触するまで、中空筒体１１１の対角にある側ロックピン１１３に対応して、それに嵌る。続いて、ロック芯１４を、中空筒体１１１に入れる。これにより、第一弾性部品１２１と側ロックピン１２２は、中空筒体１１１の位置限定ステップ面１１３１とロック芯１４外縁との間に、留められる。しかも、側ロックピン１２２は、位置限定ステップ面１１３１の一端に対応し、第一弾性部品１２１に押され、他方の端は、ロック芯１４外縁に接触し、側ロックユニット１２を形成する。側ロックユニット１２の充填設置が完成後、筒体封鎖蓋１３を利用し、中空筒体１１１充填孔１１４を密封する。
【００２２】
ロック芯１４が中空筒体１１１に入った後、ロック芯１４下ロックピン槽１４３を、ロックピン台体１１２の上ロックピン槽１１５に対応させる。次に、第一ロックピンユニット１５の下ロックピン、上ロックピン、第二弾性部品、封鎖蓋１５７を、それぞれ順番に、上下に通じる上ロックピン槽１１５、下ロックピン槽１４３に入れる。上ロックピンは、錐ロックピンに置換して第二ロックピンユニット１５’とすることができる。本実施例は、錐ロックピンを設置する第二ロックピンユニット１５’を、カギ孔１４１挿入端から最も遠い位置に設置し、設計に応じて、上下に通じる上ロックピン槽１１５、下ロックピン槽１４３に、第三ロックピンユニット１６を充填して設置し、下から上へと順番に、下磁力ピン、メイン上ロックピン１６４、第三弾性部品１６５、封鎖蓋１６６を嵌め入れる。その嵌め入れの規則は、設計の必要に応じて決定し、しかも各ロックピンユニットは、封鎖蓋１５７、１６６により密封され、上ロックピン槽１１５、下ロックピン槽１４３中に固定される。上ロックピン(錐ロックピン)頂点面は、第二弾性部品に押され、上ロックピン(錐ロックピン)は、下ロックピン槽１４３に落ち入る。こうして、上ロックピン底面は、下ロックピン頂点面を押さえる。錐ロックピンを設置するロックピンユニット１５’の、錐ロックピンの錐形接続部１５３２’の外径は、下ロックピン槽１４３の内径より大きく、下ロックピン槽１４３内径の位置限定ステップ面１４４より小さい。しかも、第二ロックピンユニット１５’の下ロックピンの軸の長さは、設計によりやや短い。これにより、錐ロック上ロックピン１５３’は、その錐形接続部１５３２’の底面により、下ロックピン槽１４３の位置限定ステップ面１４４上に設置され、下ロックピン槽１４３の位置限定ステップ面１４４に支えられる。こうして、錐ロックピンと下ロックピンとの間には、間隙を形成する。これにより、各下ロックピン底端は、連通するロック芯１４のカギ孔１４１中まで伸びる。こうして、上ロックピン(錐ロックピン)は、上ロックピン槽１１５、下ロックピン槽１４３の境目に位置し、図１２に示すように、ロック芯１４を任意に回すことができなくなり、施錠状態を形成する。磁性部品を充填する第三ロックピンユニット１６において、メイン下ロックピン１６１は、下ロックピン槽１４３の位置限定ステップ面１４４に係合して固定する。これにより、メイン下ロックピン１６１とロック芯１４のカギ孔１４１とは、間隙を備え、メイン下ロックピン１６１とサブ下ロックピン１６３との間に位置する内弾性部品１６２は、サブ下ロックピン１６３を押し上げ、メイン上ロックピン１６４底部の収容室内に埋没させる。こうして、サブ下ロックピン１６３は、上ロックピン槽１１５、下ロックピン槽１４３の境目に位置し、さらにロック芯１４は任意に回せなくなり、施錠状態を形成する。
【００２３】
さらに、連接棒２の２個の端部２２を、ロック芯構造１の軸受筒１１のロックピン台体１１２の槽孔１１６に挿入して設置する。２個の端部２２と槽孔１１６との緊密対応設置により、係合して固定し、こうしてロックピン台体１１２の固定ピン孔１１７と連接棒２の固定ピン孔２３は、照準が合い、これにより、挿入ピン３をその中に挿入して固定する。こうして、ロック芯構造１と連接棒２とは、一体に結合する。固定ピン孔１１７、２３の個数は、挿入ピン３の個数に対応して設置する。同時に、一対のロック芯１４は、係合固定部１４２を設置する端面に相対させて設置し、２個の伝動器４、４’の係合固定槽４１、４１’と、ロック芯１４の係合固定部１４２とは対応するため、伝動器４、４’と相互に対応する収容設置空間を備えるカム５に挟まれ、双方向に開錠する可能性を制御される。
【００２４】
本発明の正常な開錠方式に関しては、図１３に示すように、正しく対応するカギ６により開錠を行う時には、正しいカギ６の凹槽６１の深さは、予め計算されているため、本発明のロック芯構造１と相互に対応する。よって、正しいカギ６がロック芯１４のカギ孔１４１に挿入されると、正しいカギ６の凹槽６１は、すべての下ロックピンを押して上へと移動させる。その上方へ向かう高さは、各下ロックピン(錐ロックピン)がそれぞれ下ロックピン槽１４３を離れ、軸受筒１１の上ロックピン槽１１５中に入るのに適したものである。しかも、磁性部品６２が、内弾性部品１６２により上向きに押されたサブ下ロックピン１６３を、吸着して下へと移動させる際の、その下方へと向かう高さは、サブ下ロックピン１６３が、メイン上ロックピン１６４底部の収容室を離れ、軸受筒１１の下ロックピン槽１４３中に入るのに適したものである。さらに、すべての下ロックピン、下磁力ピンの頂点面は、下ロックピン槽１４３の槽口に揃い、上ロックピン、錐ロックピン、メイン上ロックピン１６４の底面は、上ロックピン槽１１５の槽口に揃う。こうして、正しいカギ６を回してロック芯１４下ロックピン槽１４３内のすべての下ロックピン、上ロックピンを同期に回転させることができる。
【００２５】
図１４〜図１７に示すように、悪意ある人が、共用カギ６’、或いはＬ型スパナを用い、これに外力を対応させて、本発明のロック芯構造１を無理やり開錠しようとする時には、共用カギ６’をカギ孔１４１に挿入する。そうした後、共用カギ６’の凹槽６１’は、すべての下ロックピン１５１、１５１’を確かに押し、いくらか上昇させることができ、共用カギ６’の磁性部品６２’は、確かに、サブ下ロックピン１６３を吸着することができる。しかし、錐上ロックピン１５３’の錐形接続部１５３２’の外径は、位置限定ステップ面１４４内径と上ロックピン槽１１５内径よりわずかに小さいだけであるため、ロック芯１４が、いくらか回され、軸受筒１１といくらかずれても、もともと上ロックピン槽１１５の位置限定ステップ面１４４に合わされていた槽口は、ずらされたことで、軸受筒１１内壁により遮られる。同じ原理で、もともと相対的に設置されていた上ロックピン槽１１５槽口もずらされて、ロック芯１４外縁により遮られる。こうして、両者間の槽口径の長さは、これに従い縮小し、錐上ロックピン１５３’の錐形接続部１５３２’外径より小さくなる。よって、槽口径の長さより大きい錐形接続部１５３２’は、通口を通過することができず、下ロックピン槽１４３に強制的に留め置かれる。同時に、もしさらに、ロック芯１４と軸受筒１１をずらそうとするなら、錐上ロックピン１５３’の環状部１５３１’は、上ロックピン槽１１５槽壁に押さえられる。これにより、錐ロックピンの外へと広がり斜めに出る錐形接続部１５３２’は、錐ロックピンもこれに従い歪ませる。こうして、錐形接続部１５３２’のずれていない側は、錐ロックピンの歪みにより、その側の錐形接続部１５３２’は、下ロックピン槽１４３に埋没する。錐形接続部１５３２’反対側の辺縁は、ずれた方向に従い、位置限定ステップ面１４４と軸受筒１１内壁の交差移動位置に係合して固定され、錐ロックピンはさらに動かなくなる。図１５に示すように、他の上ロックピンは、挟持されていない自由状態を保持する。図１６に示すようにこうして、悪意ある人物が、さらに外力を加え、こじ開け、打撃を与えても、各下ロックピンは、同様に、凹槽６１’斜面に押されるため、それぞれ上向きに跳ね上がる。これにより、下ロックピンと接触する上ロックピンは、下ロックピンに押され、上向きに跳ね上がり、第二弾性部品を圧迫するが、歪んで係合し固定する錐ロックピンは、依然として、係合固定状態を維持し、動くことはない。こうして、ピッキングと打撃による開錠を防止できる。
【００２６】
もし、上ロックピンがみな、上ロックピン槽１１５まで跳ね上げられ、互い違いの状態の上ロックピン槽１１５中に留め置かれたとしても、ロック芯１４は、錐ロックピンを、上ロックピン槽１１５、下ロックピン槽１４３の境目位置に係合して固定し、完全な開錠状態とすることはできない。唯一の方法は、ロック芯１４の上ロックピン槽１１５と軸受筒１１位置限定ステップ面１４４の境目の槽口の径の長さを、錐ロックピンの錐形接続部１５３２’の外径より大きくすることで、これによって初めて、錐ロックピンは上方へと押し上げられる。よって、悪意ある人物は、ロック芯１４と軸受筒１１間のずれをもとに戻す必要があり、そうしなければ、錐形接続部１５３２’外径は、上ロックピン槽１１５をスムーズに通過することはできない。しかしこれにより、ずれにより上ロックピン槽１１５に残されていた上ロックピンは、再び上ロックピン槽１１５、下ロックピン槽１４３の境目位置に戻る。こうして、ロック芯構造１は、最初の施錠状態に戻る。図１７に示すように、別に、錐ロックピンと、錐ロックピンに対応する下ロックピンについて言えば、錐ロックピンは、その錐形接続部１５３２’の底面により、下ロックピン槽１４３の位置限定ステップ面１４４上に接触する。よって、錐上ロックピン１５３’と相対する下ロックピンとの間は、終始ある程度の間隙を保つ。さらに、当初の外力は、既に他の上ロックピン１５２、下ロックピン１５１により吸収されて消耗しているため、錐ロックピンに対応する下ロックピン１５１’外力がに伝わる時、その力はかなり大きく減っている。よって、外力は、下ロックピン１５１’を押し、上方へと跳ね上がらせることはできるが、力が不足するため、下ロックピン１５１’が上へと跳ね上がる高さは、多くても、歪んで係合固定される錐ロックピンの底面にわずかに接触する程度である。こうして、錐ロックピンは移動する可能性がなく、上ロックピン槽１１５、下ロックピン槽１４３の間に挟まれて固定されるため、他の上、下ロックピン１５２、１５１はすべて、順調に、下ロックピン槽１４３中に入る。よって、ロック芯１４が回され、開錠されることは決してなく、こうして本発明ロック芯構造が、不正な方式により破壊され、開錠されることを防止可能で、錠の盗難防止効果を確実に高めることができる。
【００２７】
上記したように、本発明ピッキングと打撃による開錠を防止可能な安全性の高いロック芯構造を備える錠は、不正開錠が難しい錠構造であるが、本発明ピッキングと打撃による開錠を防止可能な安全性の高いロック芯構造の破壊に対する抵抗力をさらに高めるため、側ピンユニット１２を増設する。上ロックピンと錐ロックピンが、悪意による打撃を受ければ、確率が極めて低いながらも、跳ね上げられ、しかも上ロックピン槽１１５に留め置かれ、開錠状態を形成することもある。図１８〜２０に示すように、この時、共用カギ６’は、ロック芯１４を回して、下ロックピン、下磁力ピンを連動して、同期に回転させることはできるが、下ロックピンは既に共用カギ６’の凹槽６１’中に入っているため、下ロックピンは、下ロックピン槽１４３槽口からある程度の間隙分だけ離れる。よって、共用カギ６’は、カギ孔１４１に係合して固定され、随意に抜き取ることはできなくなる。共用カギ６’がロック芯１４を回し、下ロックピン槽１４３を、相対的に設置する側ロックユニット１２に合わせると、側ロックユニット１２の側ロックピン１２２外径は、ロック芯１４下ロックピン槽１４３の内径より小さいため、側ロックピン１２２は、第一弾性部品１２１に押され、下ロックピン槽１４３中に入り、施錠状態を形成し、図２１に示すように、ロック芯１４は動けなくなる。共用カギ６’が下ロックピンにより、カギ孔１４１に係合して固定されると、移動の空間が全くなくなる。こうして、共用カギ６’に対して再び外力を加えることはできなくなり、これにより共用カギ６’は、凹槽６１’の斜面により、下ロックピンを押し上げることはできず、下ロックピンは上方へと跳ね上がる。こうして、共用カギ６’は、側ロックユニット１２に完全に固定され、しかもＬ型スパナを挿し込むための一切の空間がないため、側ロックピン１２２もまた、Ｌ型スパナに動かされることはない。これにより、錠に打撃を与え、開錠状態を形成する機会はない。
【００２８】
本発明者は、本実施例が示す錐ロックピンは、カギ挿入端から最も離れた上ロックピン槽１１５、下ロックピン槽１４３を選択して設置するという点を強調したい。但し、本発明の実施例においては、錐ロックピンの設置位置は、本実施例の制限を受けるものではなく、実際には、本発明の錐ロックピンは、図２２に示すように、軸受筒１１とロック芯１４の任意の上ロックピン槽１１５、下ロックピン槽１４３中に収容設置することができる。
【００２９】
本発明の錐ロックピンには、固定位置に関する制限がないため、部外者は錐ロックピンの正しい位置を推測することは難しい。よって、これによっても、本発明の錠は、不正な手段による開錠の難しさを増強し、こうして極めて高いピッキングと打撃による開錠防止効果を達成することができる。
【００３０】
上記は、本発明の最適実施例に過ぎず、本発明の実施範囲を限定するものではない。すべてのロック芯構造の上ロックピン形状で、本発明の錐ロックピンに類似するもの、或いはすべてのロック芯構造に増設する本発明の側ロックユニットに類似する構造は、すべて本発明の保護範囲に含むものとする。或いは、すべての本発明の精神に基づく等価応用或いは部品(構造)の転換、置換、数量の増減はすべて本発明の保護範囲に含むものとする。
【産業上の利用可能性】
【００３１】
本発明は特許の要件である新規性を備え、従来の同類製品に比べ十分な進歩を有し、実用性が高く、社会のニーズに合致しており、産業上の利用価値は非常に大きい。
【符号の説明】
【００３２】
１０  ロック芯軸受筒
１０１  上ロックピン槽
２０  ロック芯
２０１  下ロックピン槽
３０  下ロックピン
４０  上ロックピン
５０  弾性部品
６０  封鎖蓋
７０  カギ
７０’  共用カギ
１  ロック芯構造
１１  軸受筒
１１１  中空筒体
１１２  ロックピン台体
１１３  側ロックピン槽
１１３１  位置限定ステップ面
１１４  充填孔
１１５  上ロックピン槽
１１６  槽孔
１１７  固定ピン孔
１２  側ピンユニット
１２１  第一弾性部品
１２２  側ロックピン
１２２１  環状部
１３  筒体封鎖蓋
１４  ロック芯
１４１  カギ孔
１４２  係合固定部
１４３  下ロックピン槽
１４４  位置限定ステップ面
１５  第一ロックピンユニット
１５’  第二ロックピンユニット
１５１、１５１’  メイン下ロックピン
１５２、１５２’  サブ下ロックピン
１５３  外上ロックピン
１５３’  錐上ロックピン
１５３１’  環状部
１５３２’  錐形接続部
１５４、１５４’  内上ロックピン
１５５、１５５’  内弾性部品
１５６、１５６’  外弾性部品
１５７、１５７’  封鎖蓋
１６  第三ロックピンユニット
１６１  メイン下ロックピン
１６２  内弾性部品
１６３  サブ下ロックピン
１６４  メイン上ロックピン
１６５  第三弾性部品
１６６  封鎖蓋
２  連接棒
２１  ネジ孔
２２  端部
２３  固定ピン孔
３  挿入ピン
４、４’  伝動器
４１、４１’  係合固定槽
５  カム
６  カギ
６１  凹槽
６２  磁性部品
６’  共用カギ
６１’  凹槽
６２’  磁性部品
【図１】
2012154116.tif 000003
【図２】
2012154116.tif 000004
【図３】
2012154116.tif 000005
【図４】
2012154116.tif 000006
【図５】
2012154116.tif 000007
【図６】
2012154116.tif 000008
【図７】
2012154116.tif 000009
【図８】
2012154116.tif 000010
【図９】
2012154116.tif 000011
【図１０】
2012154116.tif 000012
【図１１】
2012154116.tif 000013
【図１２】
2012154116.tif 000014
【図１３】
2012154116.tif 000015
【図１４】
2012154116.tif 000016
【図１５】
2012154116.tif 000017
【図１６】
2012154116.tif 000018
【図１７】
2012154116.tif 000019
【図１８】
2012154116.tif 000020
【図１９】
2012154116.tif 000021
【図２０】
2012154116.tif 000022
【図２１】
2012154116.tif 000023
【図２２】
2012154116.tif 000024
【手続補正書】
【提出日】平成23年2月1日(2011.2.1)
【手続補正２】
【補正対象書類名】特許請求の範囲
【補正対象項目名】全文
【補正方法】変更
【補正の内容】
【特許請求の範囲】
【請求項１】
安全性の高いロック芯構造において、軸受筒、ロック芯、複数の側ロックユニット、複数のロックピンユニットを備え、
前記軸受筒は、中空筒体とロックピン台体を一体成型し、
前記ロック芯は、前記中空筒体に収容設置し、
前記中空筒体は、それぞれ前記ロックピン台体両側の中空筒体壁面に、対を成す複数の側ロックピン槽を貫通状に設置し、
これにより前記各側ロックユニットを嵌めて設置し、
前記中空筒体には、前記ロックピン台体径方向に向かい、複数の上ロックピン槽を設置し、
前記対のロック芯には、前記各上ロックピン槽と相対し、しかも相互に通じる下ロックピン槽を成型し、
前記各下ロックピン槽の前記ロック芯頂点に近い内側壁面は、径方向に広がり、位置限定ステップ面を備え、
上下に通じる前記上、下ロックピン槽は、前記各ロックピンユニットを嵌めて設置し、
前記各側ロックユニットはすべて、側ロックピンと第一弾性部品を備え、
前記各ロックピンユニットはすべて、下ロックピン、上ロックピン、第二弾性ユニット、封鎖蓋を備え、
内１個のロックピンユニットの上ロックピンは、錐ロックピンにより置換され、しかも前記錐ロックピン底面は、前記下ロックピン槽の位置限定ステップ面上に接触し、
これにより、前記錐ロックピンと前記下ロックピンとの間には、間隙が保持されることを特徴とする安全性の高いロック芯構造。
【請求項２】
前記下ロックピンは、中空円柱状のメイン下ロックピン、及び前記メイン下ロックピンの中に挿入して設置し、一方向に係合して固定するサブ下ロックピンを備え、
前記上ロックピンは、中空円柱状の外上ロックピン、及び前記外上ロックピンの中に挿入して設置し、一方向に係合して固定する内上ロックピンを備え、
前記第二弾性部品はさらに、前記内上ロックピンを押す内弾性部品、及び前記外上ロックピンを押す外弾性部品を備え、
前記上ロックピンに置換する錐ロックピンはさらに、中空円柱状の錐上ロックピン、及び前記錐上ロックピンの中に挿入して設置し、一方向に係合して固定する内上ロックピンを備え、
前記錐上ロックピンは、腰部において、前記下ロックピン槽方向へと底まで広がり、錐形接続部を成型することを特徴とする請求項１に記載の燃料電池に用いる安全性の高いロック芯構造。
【請求項３】
前記錐ロックピンを備えない任意のロックピンユニットの、その各部品は、下磁力ピン、メイン上ロックピン、第三弾性部品、封鎖蓋により置換でき、
前記下磁力ピンは、中空円柱状のメイン下ロックピン、前記メイン下ロックピンの中に挿入して設置し、一方向に係合して固定するサブ下ロックピン、及び前記サブ下ロックピンを押す内弾性部品を備えることを特徴とする請求項１に記載の安全性の高いロック芯構造。
【請求項４】
前記ロック芯構造はさらに、筒体封鎖蓋を備え、
前記中空筒体は、前記側ロックピン槽対角位置において、充填孔を成型し、
これにより、前記側ロックユニットは、前記充填孔に嵌り、前記筒体封鎖蓋により、前記充填孔を封鎖することを特徴とする請求項１に記載の安全性の高いロック芯構造。